(57)【要約】【課題】機械式継手に結合させるためのねじ節鉄筋の回転作業を簡単に行なえるねじ節鉄筋回転用治具を提供すること。【解決手段】ねじ節鉄筋回転用治具１０は、鉄筋結合部１２と工具用係合部１４とを備えている。鉄筋結合部１２は、筒状の本体部１２０２と、本体部１２０２の軸方向の一端を閉塞する蓋部１２０４とを有している。本体部１２０２の内周部には、ねじ節鉄筋５０の雄ねじ５００２に螺合可能な雌ねじ１２０６が設けられている。工具用係合部１４は六角柱状を呈し、蓋部１２０４上に、鉄筋結合部１２と同軸上で一体的に設けられている。工具用係合部１４の対向する２面間の間隔Ｌ１は、ねじ節鉄筋５０の対向する２面間の間隔Ｌ２よりも小さい。【選択図】図１
2014070432.tif 000002
【特許請求の範囲】
【請求項１】
ねじ節鉄筋の雄ねじに螺合可能な雌ねじが設けられた鉄筋結合部と、
前記鉄筋結合部と同軸上に一体的に設けられた六角柱状の工具用係合部と、
を備えることを特徴とするねじ節鉄筋回転用治具。
【請求項２】
前記鉄筋結合部は、筒状を呈しその内面に前記雌ねじが設けられた本体部と、前記本体部の軸方向の一端を閉塞する蓋部とを有し、
前記係合部は前記蓋部上に設けられている、
ことを特徴とする請求項１記載のねじ節鉄筋回転用治具。
【請求項３】
前記六角柱状の工具用係合部の対向する２面間の間隔は、前記ねじ節鉄筋の対向する２面間の間隔よりも小さい、
ことを特徴とする請求項１または２記載のねじ節鉄筋回転用治具。
【請求項４】
前記鉄筋結合部の前記雌ねじの長さは、前記ねじ節鉄筋の雄ねじが螺合される機械式継手の雌ねじの長さよりも小さい寸法で形成されている、
ことを特徴とする請求項１乃至３に何れか１項記載のねじ節鉄筋回転用治具。
【請求項５】
前記鉄筋結合部の外面は、ねじふし鉄筋に対して目立つ色で着色されている、
ことを特徴とする請求項１乃至４に何れか１項記載のねじ節鉄筋回転用治具。
【発明の詳細な説明】
【技術分野】
【０００１】
本発明は、ねじ節鉄筋どうしを機械式継手により接続する際に用いるねじ節鉄筋回転用治具に関する。
【背景技術】
【０００２】
従来、例えば、橋脚の構築工事では、橋脚主筋が上下に連結される配筋作業が行われ、あるいは、建物の建築工事では、柱主筋が上下に連結される配筋作業が行われる。
そして、天候や技量に左右されず工期の短縮化を図るため、主筋としてねじ節鉄筋を用い、継手として、ねじ節鉄筋の雄ねじに螺合する雌ねじが形成された機械式継手を用いる場合が多い（特許文献１）。
機械式継手を用いる場合、上記の橋脚工事、建築工事のいずれの工事においても、下方のねじ節鉄筋の上端の雄ねじに機械式継手の下部の雌ねじを結合させ、この機械式継手の上部の雌ねじに対して、上方のねじ節鉄筋を回転させる作業が行われる。
従来、このねじ節鉄筋を回転させる作業は、作業員がパイプレンチやチェーンレンチなどの大型の工具を用い、それらをねじ節鉄筋に係合させ、回転させているのが実情である。
【先行技術文献】
【特許文献】
【０００３】
【特許文献１】特開平１１−３５０７３７
【発明の概要】
【発明が解決しようとする課題】
【０００４】
しかしながら、パイプレンチやチェーンレンチなどの大型の工具はねじ節鉄筋に係合させにくく、そのため作業効率を高めることができず、また、鉄筋を回転させにくいため、それら大型の工具を落とし易いという問題があった。
本発明は前記事情に鑑み案出されたものであって、本発明の目的は、機械式継手に結合させるためのねじ節鉄筋の回転作業を簡単に行なえるねじ節鉄筋回転用治具を提供することにある。
【課題を解決するための手段】
【０００５】
前記目的を達成するため本発明のねじ節鉄筋回転用治具は、ねじ節鉄筋の雄ねじに螺合可能な雌ねじが設けられた鉄筋結合部と、前記鉄筋結合部と同軸上に一体的に設けられた六角柱状の工具用係合部とを備えることを特徴とする。
【発明の効果】
【０００６】
本発明によれば、工具用係合部は六角柱状を呈していることから、スパナやラチェットなどの小型の工具を簡単に確実に係合でき、また、小型の工具を回転させることでねじ節鉄筋を機械式継手に簡単に結合させることができる。
したがって、ねじ節鉄筋の機械式継手への結合作業の効率を格段と高めることが可能となり、また、工具を落とすという不具合を防止する上でも有利となる。
【図面の簡単な説明】
【０００７】
【図１】（Ａ）はねじ節鉄筋回転用治具の平面図、（Ｂ）はねじ節鉄筋回転用治具の一部断面正面図である。
【図２】工具用係合部とねじ節鉄筋との関係図である。
【図３】ねじ節鉄筋回転用治具を用いたねじ節鉄筋の機械式継手への連結作業の説明図である。
【発明を実施するための形態】
【０００８】
以下、本発明の実施の形態を図面にしたがって説明する。
図１に示すように、本実施の形態のねじ節鉄筋回転用治具１０は金属製であり、鉄筋結合部１２と工具用係合部１４とを備えている。
鉄筋結合部１２は、筒状の本体部１２０２と、本体部１２０２の軸方向の一端を閉塞する蓋部１２０４とを有している。
本体部１２０２の内周部には、ねじ節鉄筋５０の雄ねじ５００２に螺合可能な雌ねじ１２０６が設けられている。本実施の形態では、本体部１２０２は、市販品である機械式継手の雌ねじを有する部分が切断されることで構成され、雌ねじ１２０６の長さは、ねじ節鉄筋５０の雄ねじ５００２が螺合される機械式継手の雌ねじの長さよりも小さい寸法で形成されている。
工具用係合部１４は六角柱状を呈し、蓋部１２０４上に、鉄筋結合部１２と同軸上で一体的に設けられている。本実施の形態では、工具用係合部１４は、市販品である二つのナットＮが同軸上で溶接されることで構成されている。
図２に示すように、工具用係合部１４の対向する２面間の間隔Ｌ１は、ねじ節鉄筋５０の対向する２面間の間隔Ｌ２よりも小さい。
【０００９】
次に、ねじ節鉄筋回転用治具１０の使用方法について説明する。
例えば、橋脚を構築する際、鉄筋の配筋作業を行ない、コンクリート型枠を作り、コンクリートを打設し、コンクリートの養生後、その上方で鉄筋の配筋作業を行ない、コンクリート型枠を作り、コンクリートを打設し、このような作業の繰り返しにより橋脚を上方へと構築していく。
図３に示すように、上述の配筋作業では、コンクリートに埋設された下方の橋脚主筋をなすねじ節鉄筋５０の上端に機械式継手５２を結合し、この機械式継手５２に、上方の橋脚主筋をなすねじ節鉄筋５０の下端が結合される。
【００１０】
本実施の形態では、上方の橋脚主筋をなすねじ節鉄筋５０の上端付近の足場上において、まず、上方の橋脚主筋をなすねじ節鉄筋５０の上端の雄ねじ５００２に、ねじ節鉄筋回転用治具１０の鉄筋結合部１２の雌ねじ１２０６を結合させる。この雄ねじ５００２と雌ねじ１２０６との結合は、ねじ節鉄筋回転用治具１０を直接回転させてもよく、あるいは、工具用係合部１４にスパナやラチェットなどの小型の工具を係合させ、工具を回転させることで行なってもよい。
上方の橋脚主筋をなすねじ節鉄筋５０の上端にねじ節鉄筋回転用治具１０を結合させたならば、次に、工具用係合部１４にスパナやラチェットなどの小型の工具を係合させ、工具を回転させることで上方の橋脚主筋をなすねじ節鉄筋５０を回転させ、機械式継手５２の上部に、上方の橋脚主筋をなすねじ節鉄筋５０の下端の雄ねじ５００２を結合させることで行なう。
上方の橋脚主筋をなすねじ節鉄筋５０の下端の雄ねじ５００２を機械式継手５２の上部に結合したならば、ねじ節鉄筋回転用治具１０を、上方の橋脚主筋をなすねじ節鉄筋５０の上端から取り外し、上記と同様に、上方の橋脚主筋をなすねじ節鉄筋５０の下端の雄ねじ５００２をねじ節鉄筋回転用治具１０を、上方の橋脚主筋をなすねじ節鉄筋５０の上端から取り外し機械式継手５２の上部に順次結合させる。
この場合、雌ねじ１２０６の長さは、ねじ節鉄筋５０の雄ねじ５００２が螺合される機械式継手の雌ねじの長さよりも小さい寸法で形成されているので、ねじ節鉄筋回転用治具１０の、上方の橋脚主筋をなすねじ節鉄筋５０の上端からの取り外しがより簡単になされる。
【００１１】
本実施の形態では、工具用係合部１４は六角柱状を呈していることから、スパナやラチェットなどの小型の工具を簡単に確実に係合でき、また、小型の工具を回転させることで橋脚主筋の下端を機械式継手５２の上部に簡単に結合させることができる。
したがって、橋脚主筋の機械式継手５２への結合作業の効率を格段と高めることが可能となり、また、工具を落とすという不具合を防止する上でも有利となる。
また、実施の形態では、工具用係合部１４の対向する２面間の間隔Ｌ１を、ねじ節鉄筋５０の対向する２面間の間隔Ｌ２よりも小さい寸法にしたので、より小型の工具を用いることができ、橋脚主筋の機械式継手５２への結合作業の効率を格段と高める上で有利となる。
【００１２】
また、鉄筋結合部１２の外面を、鉄筋の色とは別の色で着色しておくと、ねじ節鉄筋回転用治具１０が目立つため、ねじ節鉄筋回転用治具１０の置き忘れを防止する上で有利となる。この場合の色は、例えば、明度および彩度が高く鉄筋に対して目立つ色、例えば、赤色や黄色などが好適となる。
【００１３】
なお、本発明は土木工事に限定されず、建築工事など、ねじ節鉄筋５０を用いるその他の工事全般に広く適用される。
【符号の説明】
【００１４】
１０……ねじ節鉄筋回転用治具、１２……鉄筋結合部、１２０２……本体部、１２０４……蓋部、１２０６……雌ねじ、１４……工具用係合部、５０……ねじ節鉄筋、５００２……雌ねじ、５２……機械式継手。
【図１】
2014070432.tif 000003
【図２】
2014070432.tif 000004
【図３】
2014070432.tif 000005